(57)【要約】【課題】給湯装置に備えられた殺菌装置の殺菌効果の低下を抑制する。【解決手段】給湯装置は、水を貯める貯湯タンク１０と、浴槽２００から水を取り出して風呂熱交換器１５を経由して浴槽２００へ戻す浴槽循環回路と、を備える。また、給湯装置は、ＬＥＤ光源を有し、浴槽循環回路を流れる水に紫外線を照射するＬＥＤ殺菌装置２０を備える。給湯装置は、更に、ＬＥＤ殺菌装置２０に熱的に接続してＬＥＤ殺菌装置２０を冷却するバイパス配管３３と、貯湯タンク１０の下部に貯められた水を取り出してバイパス配管３３を経由して貯湯タンク１０に戻す第一ポンプ１１と、を含む冷却回路を備える。【選択図】図１
2020143826.tif 000002
【特許請求の範囲】
【請求項１】
水を貯める貯湯タンクと、
浴槽から水を取り出して熱交換器を経由して前記浴槽へ戻す浴槽循環回路と、
ＬＥＤ光源を有し、前記浴槽循環回路を流れる水に紫外線を照射する殺菌装置と、
前記殺菌装置に熱的に接続して前記殺菌装置を冷却する冷却手段と、前記貯湯タンクの下部に貯められた水を取り出して前記冷却手段を経由して前記貯湯タンクに戻すポンプと、を含む冷却回路と、
を備える給湯装置。
【請求項２】
前記貯湯タンクの下部に貯められた水を取り出して加熱手段を経由して前記貯湯タンクの上部に戻す加熱循環回路の一部と、前記貯湯タンクの上部に貯められた水を取り出して前記熱交換器を経由して前記貯湯タンクに戻す浴槽加熱循環回路の一部と、前記冷却回路の一部と、は共通部分であり、
前記ポンプは、前記共通部分に配置され、前記加熱循環回路、前記浴槽加熱循環回路および前記冷却回路に水を循環させることができる請求項１に記載の給湯装置。
【請求項３】
前記貯湯タンクの下部に貯められた水の温度を検出するタンク水温センサと、
前記ポンプを制御する制御手段と、
を備え、
前記制御手段は、前記タンク水温センサが検出した温度が基準値を超える場合には、前記ポンプを停止させる請求項１または請求項２に記載の給湯装置。
【請求項４】
前記浴槽循環回路を循環する水の温度を検出する循環温度センサと、
前記ポンプを制御する制御手段と、
を備え、
前記制御手段は、前記殺菌装置が動作を開始してから一定時間後に前記ポンプを駆動させ、
前記一定時間は、前記循環温度センサが検出した温度が基準値未満である場合よりも当該温度が当該基準値以上である場合の方が短い請求項１または請求項２に記載の給湯装置。
【請求項５】
外気の温度を検出する外気温センサと、
前記ポンプを制御する制御手段と、
を備え、
前記制御手段は、前記殺菌装置が動作を開始してから一定時間後に前記ポンプを駆動させ、
前記一定時間は、前記外気温センサが検出した温度が基準値未満である場合よりも当該温度が当該基準値以上である場合の方が短い請求項１または請求項２に記載の給湯装置。
【請求項６】
前記冷却回路は、前記貯湯タンクの下部の水出口から水を取り出し、前記貯湯タンクの下部の戻り口から当該貯湯タンクへ水を戻し、
前記水出口は、前記戻り口よりも下方に位置する請求項１から請求項５の何れか１項に記載の給湯装置。
【請求項７】
前記冷却回路を循環する水の流量は、前記浴槽循環回路を循環する水の流量よりも大きい請求項１から請求項６の何れか１項に記載の給湯装置。
【請求項８】
前記冷却回路を循環する水の流量は、前記浴槽循環回路を循環する水の流量よりも小さい請求項１から請求項６の何れか１項に記載の給湯装置。
【請求項９】
前記冷却回路によって前記殺菌装置が冷却されている際に報知を行う報知手段を備える請求項１から請求項８の何れか１項に記載の給湯装置。
【発明の詳細な説明】
【技術分野】
【０００１】
本発明は、給湯装置に関する。
【背景技術】
【０００２】
特許文献１に、給湯装置が記載されている。特許文献１に記載の給湯装置は、浴槽水を殺菌するための殺菌装置として、紫外線照射装置を備えている。
【先行技術文献】
【特許文献】
【０００３】
【特許文献１】国際公開第２０１８／０７３８６６号
【発明の概要】
【発明が解決しようとする課題】
【０００４】
紫外線照射装置は、動作により発熱し、昇温する。また、上記特許文献１に記載された給湯装置においては、給湯装置内を流れる湯によって紫外線照射装置の温度が上昇する場合がある。紫外線照射装置は、温度が上昇すると、その殺菌効果が低下してしまう。
【０００５】
本発明は、上記のような課題を解決するためになされたものである。本発明の目的は、給湯装置に備えられた殺菌装置の殺菌効果の低下を抑制することである。
【課題を解決するための手段】
【０００６】
本発明に係る給湯装置は、水を貯める貯湯タンクと、浴槽から水を取り出して熱交換器を経由して浴槽へ戻す浴槽循環回路と、を備える。また、本発明に係る給湯装置は、ＬＥＤ光源を有し、浴槽循環回路を流れる水に紫外線を照射する殺菌装置を備える。本発明に係る給湯装置は、更に、殺菌装置に熱的に接続して殺菌装置を冷却する冷却手段と、貯湯タンクの下部に貯められた水を取り出して冷却手段を経由して貯湯タンクに戻すポンプと、を含む冷却回路を備える。
【発明の効果】
【０００７】
本発明によれば、給湯装置に備えられた殺菌装置の殺菌効果の低下を抑制することができる。
【図面の簡単な説明】
【０００８】
【図１】実施の形態１による給湯装置の全体構成の概略を示す図である。
【図２】実施の形態１によるＬＥＤ殺菌装置の動作時間と温度変化との関係の例を示す図である。
【図３】実施の形態１によるＬＥＤ殺菌装置の動作時間と温度変化との関係の例を示す図である。
【発明を実施するための形態】
【０００９】
以下、添付の図面を参照して、本発明を実施するための形態について説明する。各図における同一の符号は、同一の部分または相当する部分を示す。本開示では、重複する説明については、適宜に簡略化または省略する。なお、本発明は、その趣旨を逸脱しない範囲において、以下の実施の形態によって開示される構成のあらゆる変形およびあらゆる組み合わせを含み得るものである。
【００１０】
実施の形態１．
図１は、実施の形態１による給湯装置を示す図である。図１によって示される、実施の形態１による給湯装置は、ヒートポンプ式の給湯装置である。なお、本開示に係る給湯装置は、ヒートポンプ式のものに限定されない。
【００１１】
本実施の形態の給湯装置は、図１に示されるように、貯湯ユニット１とヒートポンプユニット２とを備える。図示の構成では貯湯ユニット１とヒートポンプユニット２とが別体であるが、貯湯ユニット１とヒートポンプユニット２とが一体でもよい。
【００１２】
ヒートポンプユニット２は、水を加熱する加熱手段の一例である。ヒートポンプユニット２は、図示しない圧縮機、熱交換器、減圧装置および蒸発器を備える。圧縮機、熱交換器、減圧装置および蒸発器は、冷媒が流れる配管によって環状に接続され、ヒートポンプサイクルを構成している。
【００１３】
貯湯ユニット１内には貯湯タンク１０、第一ポンプ１１、第一切替弁１２、第二切替弁１３、第三切替弁１４、風呂熱交換器１５、風呂循環ポンプ１６、減圧弁１７、給湯混合弁１８、風呂混合弁１９、ＬＥＤ殺菌装置２０および制御装置５０が備えられている。
【００１４】
貯湯タンク１０は、湯水を貯留する。貯湯タンク１０内には、温度による水の密度の違いによって、温度成層を形成することができる。貯湯タンク１０内は、上側が高温で下側が低温になる。
【００１５】
貯湯ユニット１の内部には、外部から給水路２１が引き込まれている。給水路２１には、例えば、上水道等の水源からの水が流れる。給水路２１は、貯湯ユニット１の内部で減圧弁１７に接続されている。減圧弁１７は、給水路２１から供給される水の圧力を、所定圧力に減圧する。
【００１６】
給水路２１は、減圧弁１７の下流において、給水路２２と給水路２３とに分岐している。給水路２２は、貯湯タンク１０の下部にある水入口１０ａに接続されている。水源からの水が給水路２１および給水路２２を通って貯湯タンク１０の下部に供給されることで、貯湯タンク１０内は、満水状態に維持される。また、給水路２３は、給湯混合弁１８および風呂混合弁１９のそれぞれに、水を供給可能に接続されている。
【００１７】
図１に示されるように、給水路２２には、給水センサ４４が設けられている。給水センサ４４は、給水路２２を流れる水の温度を検出する。すなわち、給水センサ４４は、水源から貯湯タンク１０へ供給される水の温度を検出する。
【００１８】
ヒートポンプユニット２は、貯湯タンク１０から供給された水を沸き上げることができる。貯湯ユニット１には、貯湯タンク１０からヒートポンプユニット２へ水を供給するための配管２４および配管２５が備えられている。図１に示されるように、配管２４は、貯湯タンク１０の下部にある水出口１０ｂと第一切替弁１２の第一入口とを接続する。配管２５は、第一切替弁１２の出口と第一ポンプ１１の入口とを接続する。
【００１９】
第一ポンプ１１の出口とヒートポンプユニット２の入口とは、図１に示されるように、配管２６によって接続される。ヒートポンプユニット２の出口は、配管２７によって、第二切替弁１３の第一入口へ接続されている。また、第二切替弁１３の第一出口と第三切替弁１４の入口とは、配管２８によって接続されている。
【００２０】
第三切替弁１４の出入口は、配管２９によって、貯湯タンク１０の上部にある湯出入口１０ｃに接続されている。ヒートポンプユニット２が水を沸き上げて生成した湯は、第二切替弁１３および第三切替弁１４を経て、湯出入口１０ｃから貯湯タンク１０の上部へ供給される。貯湯タンク１０の上部には、ヒートポンプユニット２によって加熱された水が蓄えられる。
【００２１】
本実施の形態において、配管２４、第一切替弁１２、配管２５、第一ポンプ１１、配管２６、配管２７、第二切替弁１３、配管２８、第三切替弁１４および配管２９は、加熱循環回路の一例を構成している。加熱循環回路とは、貯湯タンク１０の下部に貯められた水を取り出して、加熱手段を経由して貯湯タンク１０の上部に戻す回路である。
【００２２】
第三切替弁１４の出入口と湯出入口１０ｃとを接続する配管２９は、図１に示されるように、途中で配管３０に分岐する。配管３０は、給湯混合弁１８および風呂混合弁１９のそれぞれに、湯を供給可能に接続されている。
【００２３】
本実施の形態の給湯装置は、浴槽２００に湯を供給することができる。以下の説明では、浴槽２００に供給された湯を「浴槽水」と呼ぶことがある。風呂熱交換器１５は、浴槽水を再加熱するための熱交換器である。風呂熱交換器１５は、一次側流路及び二次側流路を備える。第三切替弁１４の出口は、配管３１によって、風呂熱交換器１５の一次側流路の入口に接続されている。風呂熱交換器１５の一次側流路には、ヒートポンプユニット２が水を沸き上げて生成した湯が、第二切替弁１３および第三切替弁１４を経て供給される。
【００２４】
風呂熱交換器１５の一次側流路の出口は、配管３２によって、第一切替弁１２の第二入口に接続されている。この配管３２の途中の箇所には、図１に示されるように、バイパス配管３３が接続されている。バイパス配管３３は、貯湯タンク１０の下部にある戻り口１０ｄに、風呂熱交換器１５の一次側流路を通過した水を戻すことが可能に接続されている。戻り口１０ｄは、貯湯タンク１０の下部において、水入口１０ａおよび水出口１０ｂより高い位置にある。
【００２５】
風呂熱交換器１５の二次側流路の入口は、配管３４を介して、浴槽２００に接続されている。風呂熱交換器１５の二次側流路の出口は、配管３５を介して、浴槽２００に接続されている。配管３４および配管３５は、浴槽アダプタ２１０を介して、浴槽２００内に連通している。
【００２６】
風呂循環ポンプ１６は、配管３４の途中の位置に設置されている。風呂循環ポンプ１６が駆動すると、浴槽２００から浴槽水が取り出され、貯湯ユニット１へ流入する。貯湯ユニット１へ流入した浴槽水は、風呂熱交換器１５を経由して、浴槽２００へ戻される。風呂循環ポンプ１６は、浴槽２００と風呂熱交換器１５との間で、浴槽水を循環させる。本実施の形態における配管３４、配管３５および風呂循環ポンプ１６は、本開示に係る浴槽循環回路の一例である。なお、風呂循環ポンプ１６の設置位置は配管３４に限られず、例えば、配管３５に設置されていてもよい。
【００２７】
配管３４には、風呂往き温度センサ４１が設けられている。風呂往き温度センサ４１は、浴槽２００から配管３４へ取り出される浴槽水の温度、すなわち浴槽２００に滞留している水の温度を検出する。給湯装置による追い焚き運転は、風呂往き温度センサ４１が検出した水温が設定温度に到達すると、終了する。
【００２８】
また、配管３５には、風呂戻り温度センサ４２が設けられている。風呂戻り温度センサ４２は、風呂熱交換器１５を通過した浴槽水の温度を検出する。第一ポンプ１１の動作は、風呂戻り温度センサ４２が検出した水温に応じて制御される。これにより、風呂熱交換器１５の一次側流路の流量が制御される。第一ポンプ１１は、制御装置５０によって制御される。
【００２９】
本実施の形態の給湯装置は、給湯栓３００に湯を供給することができる。給湯栓３００は、例えば、浴室のシャワー、キッチンシンクの蛇口、洗面所の蛇口等である。給湯混合弁１８の出口は、給湯管３６ａを介して、給湯栓３００に接続されている。また、給湯栓３００には、給水路２１から分岐した給水管３６ｂが接続されている。
【００３０】
また、風呂混合弁１９の出口は、給湯管３７を介して、配管３４の途中の位置に接続されている。貯湯タンク１０の上部に貯められた高温の水は、風呂混合弁１９を介して、浴槽循環回路の一例である配管３４へ供給される。
【００３１】
図１に示されるように、第二切替弁１３の第二入口は、配管３８を介して、配管２６の途中の位置に接続されている。第二切替弁１３の第二出口は、配管３９を介して、貯湯タンク１０の下部にある戻り口１０ｅに接続されている。第二切替弁１３、配管３９および戻り口１０ｅは、例えば、ヒートポンプユニット２が除霜モード運転する際に、ヒートポンプユニット２を通過しても昇温しない循環水を貯湯タンク１０の底部へ戻すために使用される。戻り口１０ｅは、例えば、戻り口１０ｄよりも下方に配置される。
【００３２】
第二切替弁１３、配管３９および戻り口１０ｅは、例えば、給湯装置による追い焚き運転が行われる際にも使用される。追い焚き運転が行われる際、第三切替弁１４は、配管２９と配管３１とを連通させる状態、第一切替弁１２は、配管３２と配管２５とを連通させる状態、第二切替弁１３は、配管３８と配管３９とを連通させる状態になる。第三切替弁１４、第一切替弁１２および第二切替弁１３が上記の状態になることで、貯湯タンク１０の上部に貯められた水を取り出して風呂熱交換器１５を経由して貯湯タンク１０に再び戻す浴槽加熱循環回路が形成される。
【００３３】
本実施の形態においては、一例として、配管２９、第三切替弁１４、配管３１、配管３２、第一切替弁１２、配管２５、第一ポンプ１１、配管３８、第二切替弁１３および配管３９によって、浴槽加熱循環回路が形成される。浴槽加熱循環回路が形成された状態で第一ポンプ１１が駆動することで、貯湯タンク１０の上部に貯められた高温の水が、風呂熱交換器１５の一次側流路へ供給される。
【００３４】
また、ヒートポンプユニット２には、外気温度を測定する外気温度センサ４３が備えられている。なお、外気温度センサ４３の設置位置はヒートポンプユニット２に限られず、屋外の気温を検出可能な位置であればよい。
【００３５】
図１に示されるように、貯湯タンク１０には、複数の温度センサ４０が、高さの異なる位置に取り付けられている。これらの温度センサ４０により、貯湯タンク１０内における鉛直方向の水温分布を検出することができ、また、貯湯タンク１０内の貯湯温度および貯湯量を検出することができる。
【００３６】
制御装置５０は、給湯装置の各種の運転を制御する。本実施の形態の給湯装置が備えるアクチュエータ、センサなどの電子機器は、制御装置５０に接続される。第一ポンプ１１、第一切替弁１２、第二切替弁１３、第三切替弁１４、風呂循環ポンプ１６、給湯混合弁１８、風呂混合弁１９およびＬＥＤ殺菌装置２０等の動作は制御装置５０により制御される。制御装置５０は、本開示に係る制御手段の一例である。温度センサ４０、風呂往き温度センサ４１、風呂戻り温度センサ４２、外気温度センサ４３および給水センサ４４で検出された温度情報は、制御装置５０に入力される
【００３７】
制御装置５０には、無線または有線により、双方向にデータ通信可能なリモコン装置６０が接続されている。リモコン装置６０は、給湯装置のユーザーインターフェースとして機能する。リモコン装置６０は、例えば、キッチン、リビング、浴室の壁等に設置されている。制御装置５０には、異なる場所に設置された複数のリモコン装置６０が接続されていてもよい。また、例えば、スマートフォンのような携帯端末がリモコン装置６０として機能してもよい。当該携帯端末と制御装置５０とは、ネットワークを介して通信してもよい。
【００３８】
リモコン装置６０には、図示を省略するが、給湯装置の状態等の情報を表示する表示部、使用者が操作するスイッチ等の操作部、スピーカ、マイク等が搭載されている。リモコン装置６０の表示部は、使用者に情報を報知する報知手段としての機能を有する。リモコン装置６０は、例えば、音声による報知を行ってもよい。また、本実施の形態におけるリモコン装置６０は報知手段として機能するが、変形例として、給湯装置は、例えば、音声案内装置のような他の報知手段を備えていてもよい。
【００３９】
上記したように、本実施の形態の給湯装置は、ＬＥＤ殺菌装置２０を備えている。ＬＥＤ殺菌装置２０は、ＬＥＤ光源を有し、紫外線を照射可能に構成された殺菌装置である。ＬＥＤ殺菌装置２０は、水に対して紫外線を照射することで、当該水に対する殺菌を行う。ＬＥＤ殺菌装置２０、浴槽循環回路を流れる水に紫外線を照射する殺菌装置の一例である。本実施の形態では、図１に示されるように、配管３４の途中にＬＥＤ殺菌装置２０が配置されている。なお、ＬＥＤ殺菌装置２０の位置は配管３４の途中に限られず、例えば、配管３５に設置されていてもよい。ＬＥＤ殺菌装置２０の運転動作は、上記したように、制御装置５０により制御されている。
【００４０】
図１を参照しつつ、給湯装置の殺菌動作について説明する。図１において、太線部分は、殺菌動作が実行されている際に水が流れる回路を示している。図１における太線部分は、浴槽循環回路と冷却回路とを示している。図１における太線部分のうち、風呂熱交換器１５の二次側流路を経由するものが、浴槽循環回路である。
【００４１】
図１における太線部分のうち、風呂熱交換器１５の一次側流路を経由するものが、冷却回路である。冷却回路とは、ＬＥＤ殺菌装置２０を冷却するための回路である。本実施の形態において、冷却回路は、配管２４、第一切替弁１２、配管２５、第一ポンプ１１、配管３８、第二切替弁１３、配管２８、第三切替弁１４、配管３１、配管３２およびバイパス配管３３によって構成されている。
【００４２】
殺菌動作が行われる際、第一切替弁１２は、配管２４と配管２５とを連通させる状態、第二切替弁１３は、配管３８と配管２８とを連通させる状態、第三切替弁１４は、配管２８と配管３１とを連通させる状態になる。第一切替弁１２、第二切替弁１３および第三切替弁１４が上記の状態になることで、冷却回路が形成される。
【００４３】
冷却回路が形成されている状態で第一ポンプ１１が駆動することで、貯湯タンク１０の下部の低温の水が水出口１０ｂから取り出される。水出口１０ｂから取り出された水は、冷却回路を流れ、戻り口１０ｄから貯湯タンク１０へ戻される。
【００４４】
風呂循環ポンプ１６は、殺菌動作が行われる際に駆動する。風呂循環ポンプ１６が駆動することで、配管３４、配管３５および風呂循環ポンプ１６によって構成される浴槽循環回路に浴槽水が循環する。本実施の形態において、ＬＥＤ殺菌装置２０は、浴槽循環回路の配管３４中に紫外線を照射する。配管３４を流れる浴槽水は、ＬＥＤ殺菌装置２０によって殺菌される。すなわち、浴槽循環回路を循環する浴槽水が、ＬＥＤ殺菌装置２０によって殺菌される。
【００４５】
ＬＥＤ殺菌装置２０の動作中、ＬＥＤ光源が発熱する。ＬＥＤ殺菌装置２０は、ＬＥＤ光源の発熱によって昇温する。また、ＬＥＤ殺菌装置２０は、高温の浴槽水によって昇温する場合もある。ＬＥＤ光源によって紫外線を照射するＬＥＤ殺菌装置２０は、規定温度以上になると、その殺菌効果が低下してしまう。
【００４６】
そこで、本実施の形態においては、冷却回路によるＬＥＤ殺菌装置２０の冷却が行われる。本実施の形態において、冷却回路には、バイパス配管３３が含まれる。本実施の形態において、バイパス配管３３は、ＬＥＤ殺菌装置２０に熱的に接続している。具体的には、バイパス配管３３は、図１に示されるように、ＬＥＤ殺菌装置２０に接触して配置される。
【００４７】
上記したように、冷却回路のバイパス配管３３には、貯湯タンク１０の下部から取り出された低温の水が流れる。バイパス配管３３に熱的に接続されるＬＥＤ殺菌装置２０は、バイパス配管３３を流れる水によって冷却される。ＬＥＤ殺菌装置２０が冷却されることで殺菌効果の低下を防ぐことができる。
【００４８】
本実施の形態では、給湯装置に含まれる回路の一部によってＬＥＤ殺菌装置２０が冷却される。本実施の形態の構成によれば、専用の冷却装置を必要とすることなく、ＬＥＤ殺菌装置２０を冷却することができる。
【００４９】
本実施の形態におけるバイパス配管３３は、本開示に係る冷却手段の一例である。冷却手段は、バイパス配管３３に限られるものではない。冷却手段は、冷却回路を構成する任意の部材であってよい。例えば、冷却手段は、配管３１または配管３２等であってもよい。換言すると、本開示に係る給湯装置は、例えば、配管３１または配管３２がＬＥＤ殺菌装置２０に熱的に接続するように構成されていてもよい。
【００５０】
また、本実施の形態の構成例においては、加熱循環回路の一部と、浴槽加熱循環回路の一部と、冷却回路の一部と、は共通部分である。そして、この共通部分に第一ポンプ１１が配置されている。第一ポンプ１１は、加熱循環回路と浴槽加熱循環回路と冷却回路との全てに水を流す事が可能である。本実施の形態の構成によれば、専用の冷却装置を必要とすることなく、また、給湯装置の回路構成を複雑化することなく、ＬＥＤ殺菌装置２０を冷却することができる。また、ポンプの数を削減することができる。
【００５１】
本実施の形態における冷却回路は、貯湯タンク１０の下部に貯められた水を水出口１０ｂから取り出して、戻り口１０ｄから貯湯タンク１０へ水を戻す。上記の戻り口１０ｄは、水出口１０ｂよりも、鉛直方向上方に位置する。すなわち、水出口１０ｂは、戻り口１０ｄよりも下方に位置する。上記構成によれば、ＬＥＤ殺菌装置２０を冷却して昇温した水によって貯湯タンク１０内の温度成層が崩されてしまうことが抑制される。
【００５２】
また、図２は、実施の形態１によるＬＥＤ殺菌装置２０の動作時間と温度変化との関係の例を示す図である。図２において、実線は、浴槽循環回路を流れる水の温度が４２℃以上である場合の例を示す。また、図２において、破線は、浴槽循環回路を流れる水の温度が４２℃未満である場合の例を示す。一例として、給湯装置は、４２℃以上の水を「湯（高温水）」として判断し、４２℃未満の水を「低温水」として判断する。上記の４２℃という数値は、基準値の一例である。
【００５３】
風呂往き温度センサ４１により測定される浴槽水の温度Ｔ１が低い場合、具体的には、水源からの水の温度を検出する給水センサ４４または貯湯タンク１０の鉛直方向下部に配置された温度センサ４０により測定される温度Ｔ２よりも低い場合には、ＬＥＤ殺菌装置２０が発した熱が浴槽水へ伝熱される。このため、ＬＥＤ殺菌装置２０の温度上昇曲線の傾きが小さくなる。上記の場合とは、すなわち、浴槽循環回路を流れる水の温度が基準値未満である場合である。浴槽循環回路を流れる水の温度が上記の場合と逆であるとき、すなわち基準値以上である場合には、図２に示されるように、ＬＥＤ殺菌装置２０の温度上昇曲線の傾きが大きくなる。
【００５４】
そこで、ＬＥＤ殺菌装置２０が動作を開始してから第一ポンプ１１による冷却回路への水循環が開始するまでの時間は、風呂往き温度センサ４１により測定される浴槽水の温度Ｔ１に応じて調整されるとよい。具体的には、殺菌動作において、ＬＥＤ殺菌装置２０が動作を開始してから第一ポンプ１１が駆動するまでの一定時間は、風呂往き温度センサ４１が検出した温度が基準値未満である場合よりも当該温度が当該基準値以上である場合の方が短く設定されるとよい。なお、この基準値は、予め設定された所定の値でもよいし、給水センサ４４または貯湯タンク１０の鉛直方向下部に配置された温度センサ４０により測定される温度Ｔ２であってもよい。
【００５５】
ＬＥＤ殺菌装置２０が動作を開始してから第一ポンプ１１が駆動するまでの一定時間が上記のように調整されることで、ＬＥＤ殺菌装置２０を無駄なく効果的に冷却することができる。一例として、ＬＥＤ殺菌装置２０が動作を開始してから第一ポンプ１１が駆動するまでの一定時間は、ＬＥＤ殺菌装置２０の温度が冷却開始判定温度に達した時点で第一ポンプ１１が駆動し始めるように設定される。
【００５６】
ＬＥＤ殺菌装置２０の温度上昇曲線は、気温にも依存する。貯湯ユニット１内の気温は、外気温度と同様の傾向を示す。図２における実線は、外気温度が高い場合のＬＥＤ殺菌装置２０の状態を示すものに相当する。図２における破線は、外気温度が低い場合のＬＥＤ殺菌装置２０の状態を示すものに相当する。ＬＥＤ殺菌装置２０が動作を開始してから第一ポンプ１１が駆動するまでの一定時間は、外気温度センサ４３が検出した温度が基準値未満である場合よりも当該温度が当該基準値以上である場合の方が短く設定されるとよい。ＬＥＤ殺菌装置２０が動作を開始してから第一ポンプ１１が駆動するまでの一定時間が外気温度に応じて調整されることで、ＬＥＤ殺菌装置２０を無駄なく効果的に冷却することができる。
【００５７】
図３は、図２と同様に、実施の形態１によるＬＥＤ殺菌装置２０の動作時間と温度変化との関係の例を示す図である。図３は、冷却回路を循環する水の流量Ｑｔと浴槽循環回路を循環する水の流量Ｑｆとの大小関係を変更した場合における、ＬＥＤ殺菌装置２０の温度変化を示す。図３において、実線は、冷却回路を循環する水の流量Ｑｔが浴槽循環回路を循環する水の流量Ｑｆよりも大きい場合の例を示す。図３において、一点鎖線は、浴槽循環回路を循環する水の流量Ｑｆが冷却回路を循環する水の流量Ｑｔよりも大きい場合の例を示す。なお、図３では、参考として、ＬＥＤ殺菌装置２０の冷却を行わなかった場合の例を破線で示している。
【００５８】
冷却回路を循環する水の流量Ｑｔが浴槽循環回路を循環する水の流量Ｑｆよりも大きい場合には、ＬＥＤ殺菌装置２０から冷却回路への熱の移動量が大きくなる。このため、ＬＥＤ殺菌装置２０の冷却効果が高められ、ＬＥＤ殺菌装置２０の一定温度以下にするために必要な冷却時間を短縮することができる。
【００５９】
浴槽循環回路を循環する水の流量Ｑｆが冷却回路を循環する水の流量Ｑｔよりも大きい場合には、貯湯タンク１０へ戻される水の量が少なくなることで、貯湯タンク１０内部で湯水が攪拌されて温度成層が崩れてしまうことを抑制することができる。
【００６０】
報知手段の一例であるリモコン装置６０は、冷却回路によってＬＥＤ殺菌装置２０が冷却されていることを使用者に報知してもよい。使用者は、リモコン装置６０を確認することで、ＬＥＤ殺菌装置２０の状態を確認することができる。
【００６１】
また、本実施の形態に係る給湯装置は、貯湯タンク１０の下部に貯められた水の温度が一定温度以上である場合には、冷却回路への水の循環を禁止するように構成されてもよい。本実施の形態に係る給湯装置は、貯湯タンク１０の下部に貯められた水の温度が一定温度以下である場合にのみ、冷却回路への水の循環を許可するように構成されてもよい。より具体的には、制御装置５０は、貯湯タンク１０の下部に貯められた水の温度を検出する温度センサ４０によって検出された温度が基準値を超える場合には、第一ポンプ１１を停止させてもよい。これにより、例えば、基準値を超える温度の水による非効率的なＬＥＤ殺菌装置２０の冷却が防止される。
【符号の説明】
【００６２】
１  貯湯ユニット、  ２  ヒートポンプユニット、  １０  貯湯タンク、  １０ａ  水入口、  １０ｂ  水出口、  １０ｃ  湯出入口、  １０ｄ  戻り口、  １０ｅ  戻り口、  １１  第一ポンプ、  １２  第一切替弁、  １３  第二切替弁、  １４  第三切替弁、  １５  風呂熱交換器、  １６  風呂循環ポンプ、  １７  減圧弁、  １８  給湯混合弁、  １９  風呂混合弁、  ２０  ＬＥＤ殺菌装置、  ２１  給水路、  ２２  給水路、  ２３  給水路、  ２４  配管、  ２５  配管、  ２６  配管、  ２７  配管、  ２８  配管、  ３０  配管、  ３１  配管、  ３２  配管、  ３３  バイパス配管、  ３４  配管、  ３５  配管、  ３６ａ  給湯管、  ３６ｂ  給水管、  ３７  給湯管、  ３８  配管、  ３９  配管、  ４０  温度センサ、  ４１  風呂往き温度センサ、  ４２  風呂戻り温度センサ、  ４３  外気温度センサ、  ４４  給水センサ、  ５０  制御装置、  ６０  リモコン装置、  ２００  浴槽、  ２１０  浴槽アダプタ、  ３００  給湯栓
【図１】
2020143826.tif 000003
【図２】
2020143826.tif 000004
【図３】
2020143826.tif 000005